(57)【要約】【課題】認証が出来た場合にデータを提供でき、しかも、認証が出来ていない場合にデータの不正利用が出来ないデータキャリアの提供が求められていた。【解決手段】基材と、その基材内に設けた外部機器との間で信号の授受を行う通信インターフェース手段と、照明手段と、透過画像部と、レンズ部と、通信インターフェース手段と接続され照明手段を制御可能な演算処理手段とからなるデータキャリアであって、該照明手段の制御が外部からの通信インターフェースを通じての要求又は演算処理手段からの要求に基づくもので、前記照明手段の制御が点灯となった場合に透過画像のレンズ部を介して投影表示することを特徴とするデータキャリアを提供する。【選択図】図１
2006215945.tif 000002
【特許請求の範囲】
【請求項１】
基材と、
その基材内に設けた外部機器との間で信号の授受を行う通信インターフェース手段と、照明手段と、透過画像部と、レンズ部と、通信インターフェース手段と接続され照明手段を制御可能な演算処理手段とからなるデータキャリアであって、
該照明手段の制御が外部からの通信インターフェースを通じての要求又は演算処理手段からの要求に基づくもので、
前記照明手段の制御が点灯となった場合に透過画像のレンズ部を介して投影表示することを特徴とするデータキャリア。
【請求項２】
前記照明手段と、透過画像部と、レンズ部とが基材上の一部に凹部又は貫通部又は空間部からなる領域に設けてなることを特徴とする請求項１に記載のデータキャリア。
【請求項３】
前記通信インターフェース手段が、接続端子を介して前記小型演算処理手段と電気的に接続する接触式インターフェース手段、または高周波電磁界内でアンテナを介して前記小型演算処理手段と電気的に接続する非接触式インターフェース手段、或いはそれらを両用してなる接触・非接触インターフェース手段であることを特徴とする請求項１または２に記載のデータキャリア。
【請求項４】
データキャリアの所有者認証が行われた場合のみ、前記外部機器からの要求又は前記演算処理手段からの要求に基づく点灯制御を受け付けることを特徴とする請求項１〜３何れか記載のデータキャリア。
【請求項５】
前記透過画像部がマイクロフィルムであることを特徴とする請求項１〜４何れか記載のデータキャリア。
【請求項６】
前記透過画像部がデータキャリアの所有者の顔写真、サイン、固有のＩＤ番号のうち、少なくとも１つであることを特徴とする請求項１〜５何れか記載のデータキャリア。
【請求項７】
前記レンズ部がマイクロレンズ、フレネルレンズ、映像拡大のいずれかであることを特徴とする請求項１〜６何れか記載のデータキャリア。
【請求項８】
前記照明手段がＬＥＤ（発光ダイオード）であることを特徴とする請求項１〜７何れか記載のデータキャリア。
【発明の詳細な説明】
【技術分野】
【０００１】
本発明は例えば、通常は非公開なデータを有し、通常状態で携行等の移動可能なデータキャリア、例えば本人認証等が行われた場合にのみデータが分かる様なデータキャリア、例えば決済用カードやパスポート、免許証などのデータキャリアや、高級ブランドのプロテクションにように、画像による認証が必要なシステムに安全に認証できる媒体に係る。
【背景技術】
【０００２】
従来の携帯媒体としては、以下のようなものが知られている。
【０００３】
例えば、現在の決済システムでは、汎用的な媒体として、カード等で、本人確認やブランドプロテクションを行っている。
【０００４】
例えば、カード券面に所持者の顔画像を印字し、決済時に店員が確認したり、ブランドのバッグなどは、バッグと一緒にカードを付けることで、本物としての証明を行っていた。
【０００５】
この様なカードとしては特許文献１の様な、カードに窓をあけ、その窓にこれと同じ形状に写真を填め込み、全体をラミネート加工した写真入りカードなどが知られている。特許文献２、３、４とも原理的には同様である。特許文献２においては、直接目視できないマイクロフィルムをデータ保持に用いているが、マイクロフィルムリーダを用いれば判読可能であり、データが誰でも読みとれる事には変わりがなかった。
【０００６】
このような決済システムでは、カードの偽造や改ざん等により、不正にアクセスすることがあった。現状、ＩＣカード化によるパスワード認証で、安全を確保していた。
【０００７】
また、ブランドバッグのプロテクションとしては、カード券面にシリアル番号とＬＯＧＯを印字していたが、カードの偽造防止機能はない。
【０００８】
特許文献は以下の通りである。
【特許文献１】実開昭６２−１８２７７４号公報
【特許文献２】特開昭６３−１７３６９６号公報
【特許文献３】特開平５−３０５７９２号公報
【特許文献４】特開昭６１−３５９９７号公報
【発明の開示】
【発明が解決しようとする課題】
【０００９】
しかし、この様な従来技術においては、従来の携帯媒体においては、画像データを券面に印字していたため、ある特定の技術があれば偽造することが可能であった。
【００１０】
また、仮に顔データやブランドのＬＯＧＯのデータを媒体内に格納し場合、そのデータを読み出す時間がかかることや、一旦読み出したデータは、どこかに保存されてしまう危険があり、運用上の障害が問題となっていた。
【００１１】
そこで、認証が出来た場合にデータを提供でき、しかも、認証が出来ていない場合にデータの不正利用が出来ないデータキャリアに関する技術が求められていた。
【課題を解決するための手段】
【００１２】
上記課題を解決する為に、まず本発明の第１の発明は、基材と、
その基材内に設けた外部機器との間で信号の授受を行う通信インターフェース手段と、照明手段と、透過画像部と、レンズ部と、通信インターフェース手段と接続され照明手段を制御可能な演算処理手段とからなるデータキャリアであって、
該照明手段の制御が外部からの通信インターフェースを通じての要求又は演算処理手段からの要求に基づくもので、
前記照明手段の制御が点灯となった場合に透過画像のレンズ部を介して投影表示することを特徴とするデータキャリアを提供するものである。
【００１３】
また、本発明の第２の発明は、前記照明手段と、透過画像部と、レンズ部とが基材上の一部に凹部又は貫通部又は空間部からなる領域に設けてなることを特徴とする請求項１に記載のデータキャリアを提供するものである。
【００１４】
また、本発明の第３の発明は、前記通信インターフェース手段が、接続端子を介して前記小型演算処理手段と電気的に接続する接触式インターフェース手段、または高周波電磁界内でアンテナを介して前記小型演算処理手段と電気的に接続する非接触式インターフェース手段、或いはそれらを両用してなる接触・非接触インターフェース手段であることを特徴とする請求項１または２に記載のデータキャリアを提供するものである。
【００１５】
また、本発明の第４の発明は、データキャリアの所有者認証が行われた場合のみ、前記外部機器からの要求又は前記演算処理手段からの要求に基づく点灯制御を受け付けることを特徴とする請求項１〜３何れか記載のデータキャリアを提供するものである。
【００１６】
また、本発明の第５の発明は、前記透過画像部がマイクロフィルムであることを特徴とする請求項１〜４何れか記載のデータキャリアを提供するものである。
【００１７】
また、本発明の第６の発明は、前記透過画像部がデータキャリアの所有者の顔写真、サイン、固有のＩＤ番号のうち、少なくとも１つであることを特徴とする請求項１〜５何れか記載のデータキャリアを提供するものである。
【００１８】
また、本発明の第７の発明は、前記レンズ部がマイクロレンズ、フレネルレンズ、映像拡大のいずれかであることを特徴とする請求項１〜６何れか記載のデータキャリアを提供するものである。
【００１９】
また、本発明の第８の発明は、前記照明手段がＬＥＤ（発光ダイオード）であることを特徴とする請求項１〜７何れか記載のデータキャリアを提供するものである。
【発明の効果】
【００２０】
本発明に係るデータキャリアは、安全かつ早く、確認画像データを表示できるシステムを提供できる。
【００２１】
また、通常、認証されていない場合は、普段は表示したくないデータ（顔画像）等を隠しておける利点もある。さらに、認証後は、一瞬で表示することが可能である。
【発明を実施するための最良の形態】
【００２２】
データキャリアの外形はカード型が一般的であるが、パスポートの様な冊子、可撓性の
あるシート、タグ、スティックタイプなど各種の形状が可能であるが、代表してカード型のもので以下、図１と図２を用いて説明する。
【００２３】
カード型でも、各種のタイプが可能であるが、配線基板１１をカード基材１２、１３で挟み込むタイプが代表的なものである。なお、このときのカード基材１２にはＩＣモジュール１４と照明手段であるチップＬＥＤ１５と透過画像部であるマイクロフィルム１６とレンズ部であるマイクロレンズ１７とが組み込まれ、このうちＩＣモジュール１４とチップＬＥＤ１５とは、配線基板１１により配線されている。なお、配線基板１１は、非接触式や接触・非接触式の場合には、単にＩＣモジュール１４とチップＬＥＤ１５を配線するだけでなく外部インターフェースとしてのアンテナを構成している。また、この場合にＩＣモジュール１４は、接触式や接触・非接触式の場合には接触端子が露出している構成になる。
【００２４】
他方、チップＬＥＤ１５とマイクロフィルム１６とマイクロレンズ１７は、チップＬＥＤ１５が点灯時にその点灯光がマイクロレンズ１７を透過し、さらにマイクロレンズ１７により外部に投影する構成になっている。一般にこの投影は拡大投影だが、機械照合の様な人間の目視を必要としない場合は必ずしも拡大して投影する必要はない。
【００２５】
この場合の照明手段は、制御の容易性や消費電力、さらに大きさの関係上ＬＥＤが好ましいが、他の照明手段でも構わない。他方、透過画像部については、透過性とデータ保持が必要な機能となる。透過画像部は、保護層、感光乳剤層、ハレーション防止層、下引層、支持体からなる様な一般的なマイクロフィルムの形成が保持できる情報量も多く、撓ませる事も可能で、取り扱いも容易であるが、他のガラス基板に焼き付けた様なものでも構わなく、その縮小割合も用途により適宜選択可能である。さらに、レンズ部は、カードへの組込上フレネルレンズなどを用いる場合が多いが、別に一般の凸レンズの様な投影レンズで構成するものでも、複数のレンズで構成するものでも構わない。
【００２６】
実際の、照明手段の制御が外部からの通信インターフェースを通じての要求又は演算処理手段からの要求に基づくもので、前記照明手段の制御が点灯となった場合に透過画像のレンズ部を介して投影表示する様な制御は、汎用ＩＣモジュール１４にプログラミングするのが一般的であるが、数量などによりカスタムＬＳＩを用いることや、ゲートアレイを組み合わせて使用するなどその制御方法を問うものではない。
【００２７】
プログラムの内容も、単に、外部機器との間で信号の授受を行う通信インターフェース手段を持つもので、照明手段の制御が外部からの通信インターフェースを通じての要求又は演算処理手段からの要求に基づくもので、照明手段の制御が可能なだけでも構わない。
【００２８】
この場合、照明手段の制御が外部からの通信インターフェースを通じての要求と演算処理手段からの要求に基づくものの何れかでも良いが、それを切り替えることが可能なものでも構わない。照明手段の制御が外部からの通信インターフェースを通じての要求の場合、直接その要求そのまま処理するものでも良いが、普通は何等かの認証作業等を行い、認証が出来た場合のみ処理するのが普通である。他方、照明手段の制御が演算処理手段からの要求に基づく場合、完全に演算処理手段内部からの情報のみ、例えばクロックのみにより処理を行っても良いが、一般的には何等かの外部情報をも取り込み、その情報を加味して処理するのが普通であり、通信インターフェースによって取り入れた情報に基づくのが一般的で構成が容易である。
【００２９】
認証は、データキャリアとしての性格上所有者認証が一般的であるか、金額認証、資格認証、会社等の所属認証等でも構わない。その認証方法も、暗証番号、サイン、パスワード等の他、顔写真、指紋、声紋等の生体認証等でも構わない。
【実施例１】
【００３０】
本発明のデータキャリアを接触式ＩＣカード形式で実施した場合の一実施例を、図１から図４の各図面を用いて以下詳細に説明する。もちろん、以下の例は一実施例であり、権利範囲内で各種変形実施が可能である。
【００３１】
本実施例の接触式ＩＣカードは、厚さ０．２ｍｍでガラスエポキシからなる基材の片側に銅からなる配線を施した配線基板１１を、厚さ０．２ｍｍで塩化ビニルからなるカード基材１２と、厚さ０．５ｍｍでポリエチレンテレフタレートのカード基材１３で挟み込む構成となっている。なお、外形寸法は５４．０×８５．６ｍｍで、四隅に３．１８±０。３のＲが付いている。
【００３２】
なお、カード基材１２にはＩＣモジュール１４としてＩＳＯ７８１６のＩＣモジュールを用いて組み込んだ。その組込方法は、配線側を配線基板１１と配線し、端子を露出する様に構成した。
【００３３】
ＩＳＯ７８１６のＩＣモジュールの端子は、Ｖｃｃ、ＧＮＤ、ＲＳＴ、Ｖｐｐ、ＣＬＫ、Ｉ・Ｏ、Ｄ＋、Ｄ−から成っており、配線はＰＯＲＴ、Ｖｃｃ、ＧＮＤから成っている構成で、当然ＰＯＲＴ、Ｖｃｃ、ＧＮＤは各々配線基板１１と配線されており、このＰＯＲＴ信号に従いＬＥＤが駆動される。まず、この場合図４の様に属性情報としてＡＴＲ信号を送信した後、接触ブロック受信を行う、この信号に基づき認証動作を行い、認証が取れた場合は点灯動作を行い、他方、認証が取れない場合は点灯動作を行なわず、そのどちらの場合も認証結果を接触ブロック送信を行う。これらの動作は図５で示す様に、コマンドチェックを行ったあと、並行して乱数発生とＥｘｔｅｒｎａｌＡＵＴＨの設定と、ＰＩＮ照合と生体認証（指紋認証等）を行う。ここで乱数発生の後には乱数待避とセットを、ＥｘｔｅｒｎａｌＡＵＴＨの設定の後には受信データ復号をして、その復号結果の乱数比較と、ＰＩＮ照合の後には受信データと格納ＰＩＮの照合を、生体認証（指紋認証等）の後には生体データ照合を各々行った後、コマンドチェックした照合方法での照合が取れた場合はステータス（ＬＥＤの点灯動作）を行って認証・点灯動作を終了して図４の主プログラムに復帰する。そして、最後に、新たな接触ブロック受信の受入状態に復帰する。
【００３４】
他方、チップＬＥＤ１５とマイクロフィルム１６とマイクロレンズ１７もカード基材１２にチップＬＥＤ１５が点灯時にその点灯光がマイクロレンズ１７を透過し、さらにマイクロレンズ１７により外部に投影する様に厚さ方向に順次組み込まれ、チップＬＥＤ１５は配線基板１１により配線されている。
【００３５】
０．６×０．３ｍｍで厚さ０．４ｍｍのチップＬＥＤ１５を用い、マイクロフィルム１６には秘密情報が例えば１．０×１．０ｍｍの領域に情報が焼き付けられ、さらにマイクロレンズ１７は、支持体上に順に下引層、ハレーション防止層、感光乳剤層、保護層の順に積層された構成の物を用いた。レンズの性能としては、カードから距離１０ｃｍの所で１０倍、即ち５０×５０ｍｍ程度にマイクロフィルム文字が見える性能を持っている。この場合、マイクロフィルム１６の焼き付け領域が５．０×５．０ｍｍの場合も同様に１０倍に見える。
【実施例２】
【００３６】
非接触型の場合、実施例１のＩＣモジュールの代わりにＩＳＯ１４４４３モジュールを採用する。なお、ＩＳＯ１５６９３でもその代用として採用可能である。この場合、接触端子が不用である代わりにＲＦＩＤ用アンテナが必要である。これは、配線基板１１に配線として設けるのが容易である。
【００３７】
プログラムの内容も、図４の様なものではなく、図６の様な、まずどのＲＦＩＤを特定をするためにアンチコリジョンを行った後、非接触ブロック受信を行う、この信号に基づき認証動作を行い、認証が取れた場合は点灯動作を行う。他方、認証が取れない場合は点灯動作を行なわない。そのどちらの場合も認証結果を非接触ブロック送信を行い、新たな非接触ブロック受信の受入状態に復帰する。
【実施例３】
【００３８】
接触型以外でも、ＵＳＢ接続型として図７の様なＰｎＰ処理を行った後、バルク受信、認証作業、認証に基づく点灯動作、ＢＵＬＫ送信を繰り返す方法も可能である。
【実施例４】
【００３９】
さらに、接触・非接触・ＵＳＢ接続型の場合も可能で、実施例１と実施例２と実施例３の全ての機能を備え、図８の様な判断作業を適宜加えることで可能となる。なお、この場合の非接触動作は、図４のフローチャートをサブルーチンとするものであり、ＵＳＢ操作は図６のフローチャートをサブルーチンとするものであり、接触動作は、図７のフローチャートをサブルーチンとするものである。
【００４０】
その場合、非接触型として動作する場合は、アンテナコイルから給電することとなり、ＵＳＢ型として動作する場合はＵＳＢのＤ＋、Ｄ−の両信号を以てＶｃｃから給電することとなり、接触型の場合は太陽電池などのそれ以外の給電方法によることとなる。
【産業上の利用可能性】
【００４１】
本発明は、済用カードやパスポート、免許証などのデータキャリアや、高級ブランドのプロテクションにように、画像による認証が必要なシステムに安全に認証できる携帯等で移動可能な媒体である各種データキャリアに適用可能である。
【図面の簡単な説明】
【００４２】
【図１】図１本発明のデータキャリアを実施例に係るＩＣカードに応用した場合の平面図図である。
【図２】図２は、図１のＩＣカードの断面図である。
【図３】図３は、図１のＩＣカードのＣＰＵ配線図である。
【図４】図４は、図１のＩＣカードのフローチャートである。
【図５】図５は、図４のフローチャートにおける認証・点灯動作に関するサブルーチンに関するフローチャートである。
【図６】図６は、図４のフローチャートとは別な非接触型の場合の例を示すフローチャートである。
【図７】図７は、図４や図６のフローチャートとは別なＵＳＢ接続型の例を示すフローチャートである。
【図８】図８は、図４や図８や図７のフローチャートとは別なハイブリッド型の例を示すフローチャートである。
【符号の説明】
【００４３】
１１  配線基板
１２、１３  カード基材
１４  ＩＣモジュール
１５  チップＬＥＤ
１６  マイクロフィルム
１７  マイクロレンズ
【図１】
2006215945.tif 000003
【図２】
2006215945.tif 000004
【図３】
2006215945.tif 000005
【図４】
2006215945.tif 000006
【図５】
2006215945.tif 000007
【図６】
2006215945.tif 000008
【図７】
2006215945.tif 000009
【図８】
2006215945.tif 000010